【手続補正書】
【提出日】令和2年3月13日(2020.3.13)
【手続補正１】
【補正対象書類名】明細書
【補正対象項目名】００９２
【補正方法】変更
【補正の内容】
【００９２】
以下の請求項の１つまたは２つ以上は、移行句として「〜であって（ｗｈｅｒｅｉｎ）」という用語を利用することに留意されたい。本発明を定義する目的で、この用語は、構造の一連の特性の列挙を導入するために使用されるオープンエンドな移行句として請求項に導入されており、「備える（ｃｏｍｐｒｉｓｉｎｇ）」というより一般的に使用されるオープンエンドのプリアンブル用語と同様に解釈されるべきであることに留意されたい。
以下、本発明の好ましい実施形態を項分け記載する。
実施形態１
電気化学セルと、陽極液タンクと、陰極液タンクと、第１の陽極液キャリアスラリーと、第２の陽極液キャリアスラリーと、第１の陰極液キャリアスラリーと、第２の陰極液キャリアスラリーと、発電回路と、を備える、フローレドックス電池システムであって、
前記電気化学セルが、陽極と陰極との間に位置付けられ、それらと電気化学的に係合されたイオン交換膜を備え、
前記発電回路が、前記陽極及び前記陰極に電気的に結合され、
前記陽極液タンクが、前記陽極に流体的に結合された陽極液上端部と、前記陽極に流体的に結合された陽極液下端部と、を備え、
前記陰極液タンクが、前記陰極に流体的に結合された陰極液上端部と、前記陰極に流体的に結合された陰極液下端部と、を備え、
前記第１の陽極液キャリアスラリーが、前記第２の陽極液キャリアスラリーの密度よりも低い密度、及び前記第２の陽極液キャリアスラリーの電気陰性度とは異なる電気陰性度を含み、
前記第１の陰極液キャリアスラリーが、前記第２の陰極液キャリアスラリーの密度よりも低い密度、及び前記第２の陰極液キャリアスラリーの電気陰性度とは異なる電気陰性度を含む、フローレドックス電池システム。
実施形態２
前記第１及び第２の陽極液キャリアスラリーが前記陽極液タンク内に収容されたときに、前記第１の陽極液キャリアスラリーが前記第２の陽極液キャリアスラリーの上に浮かぶ、実施形態１に記載のフローレドックス電池システム。
実施形態３
前記第１の陽極液キャリアスラリーの前記電気陰性度が、前記第２の陽極液キャリアスラリーの前記電気陰性度よりも高く、よって、前記第１の陽極液キャリアスラリーが放電した陽極液活性材料を電気化学的に引き付け、前記第２の陽極液キャリアスラリーが充電した陽極液活性材料を電気化学的に引き付ける、実施形態１に記載のフローレドックス電池システム。
実施形態４
前記第１の陽極液キャリアスラリーの前記電気陰性度が、前記第２の陽極液キャリアスラリーの前記電気陰性度よりも小さく、よって、前記第１の陽極液キャリアスラリーが充電した陽極液活性材料を電気化学的に引き付け、前記第２の陽極液キャリアスラリーが放電した陽極液活性材料を電気化学的に引き付ける、実施形態１に記載のフローレドックス電池システム。
実施形態５
前記第１及び第２の陰極液キャリアスラリーが前記陰極液タンク内に収容されたときに、前記第１の陰極液キャリアスラリーが前記第２の陰極液キャリアスラリーの上に浮かぶ、実施形態１に記載のフローレドックス電池システム。
実施形態６
前記第１の陰極液キャリアスラリーの前記電気陰性度が、前記第２の陰極液キャリアスラリーの前記電気陰性度よりも高く、よって、前記第１の陰極液キャリアスラリーが充電した陰極液活性材料を電気化学的に引き付け、前記第２の陰極液キャリアスラリーが放電した陰極液を電気化学的に引き付ける、実施形態１に記載のフローレドックス電池システム。
実施形態７
前記第１の陰極液キャリアスラリーの前記電気陰性度が、前記第２の陰極液キャリアスラリーの前記電気陰性度よりも小さく、よって、前記第１の陰極液キャリアスラリーが放電した陰極液を電気化学的に引き付け、前記第２の陰極液キャリアスラリーが充電した陰極液活性材料を電気化学的に引き付ける、実施形態１に記載のフローレドックス電池システム。
実施形態８
前記第１及び第２の陽極液キャリアスラリー及び前記第１及び第２の陰極液キャリアスラリーが、それぞれ、複数のスラリー粒体を含み、各スラリー粒体は、不活性コアと、前記不活性コアと化学的に係合された１つまたは２つ以上の活性粒子と、を含む、実施形態１に記載のフローレドックス電池システム。
実施形態９
前記不活性コアが、１つまたは２つ以上の官能化表面領域を備え、前記１つまたは２つ以上の活性粒子が、前記１つまたは２つ以上の官能化表面領域において前記不活性コアと化学的に係合する、実施形態８に記載のフローレドックス電池システム。
実施形態１０
前記陽極液タンクの前記陽極液上端部と前記陽極との間に延在し、それらを流体的に結合する低密度陽極液経路と、前記陽極液タンクの前記陽極液下端部と前記陽極との間に延在し、それらを流体的に結合する高密度陽極液経路と、をさらに備える、実施形態１に記載のフローレドックス電池システム。
実施形態１１
前記陰極液タンクの陰極液上端部と前記陰極との間に延在し、それらを流体的に結合する低密度陰極液経路と、前記陰極液タンクの陰極液下端部と前記陰極との間に延在し、それらを流体的に結合する高密度陰極液経路と、をさらに備える、実施形態１に記載のフローレドックス電池システム。
実施形態１２
前記第１の陽極液キャリアスラリー及び前記第２の陽極液キャリアスラリーと化学的に係合可能な陽極液溶液をさらに含む、実施形態１に記載のフローレドックス電池システム。
実施形態１３
前記陽極液溶液の１つまたは２つ以上の活性材料が、バナジウム、クロミウム、亜鉛、硫黄、ネプツニウム、ウラン、またはこれらの組み合わせを含む、実施形態１２に記載のフローレドックス電池システム。
実施形態１４
前記陽極が、
前記第１または第２の陽極液キャリアスラリーから充電した陽極液活性材料を化学的に分離し、前記充電した陽極液活性材料を酸化し、よって、前記第１または第２の陽極液キャリアスラリーと化学的に係合された前記充電した陽極液活性材料及び前記イオン交換膜からの陽子の両方を受容すると、前記充電した陽極液活性材料が、前記発電回路によって受容可能な電子を出力し、
前記第１または第２の陽極液キャリアスラリーから放電した陽極液活性材料を化学的に分離し、前記放電した陽極液活性材料を還元し、よって、前記第１または第２の陽極液キャリアスラリーと化学的に係合された前記放電した陽極液活性材料及び前記発電回路からの電子の両方を受容すると、前記放電した陽極液活性材料が、前記イオン交換膜によって受容可能な陽子を出力するように、電気化学的に構成される、実施形態１２に記載のフローレドックス電池システム。
実施形態１５
前記第１の陰極液キャリアスラリー及び前記第２の陰極液キャリアスラリーと化学的に係合可能な陰極液溶液をさらに含む、実施形態１に記載のフローレドックス電池システム。
実施形態１６
前記陰極液溶液の１つまたは２つ以上の活性材料が、バナジウム、臭素、セリウム、塩素、フェリシアン化物、フェロシアン化物、マンガン、酸化ネプツニウム、酸化ウラン、またはこれらの組み合わせを含む、実施形態１５に記載のフローレドックス電池システム。
実施形態１７
前記陰極が、
前記第１または第２の陰極液キャリアスラリーから充電した陰極液活性材料を化学的に分離し、前記充電した陰極液活性材料を還元し、よって、前記第１または第２の陰極液キャリアスラリーと化学的に係合された前記充電した陰極液活性材料及び前記発電回路からの電子の両方を受容すると、前記充電した陰極液活性材料が、前記イオン交換膜によって受容可能な陽子を出力し、
前記第１または第２の陰極液キャリアスラリーから放電した陰極液活性材料を化学的に分離し、前記放電した陰極液活性材料を酸化し、よって、前記第１または第２の陰極液キャリアスラリーと化学的に係合された前記放電した陰極液活性材料及び前記イオン交換膜からの陽子の両方を受容すると、前記放電した陰極液活性材料が、前記発電回路によって受容可能な電子を出力するように、電気化学的に構成される、実施形態１５に記載のフローレドックス電池システム。
実施形態１８
前記イオン交換膜が、前記陽極と前記陰極との間に陽子経路を提供するように構造的に構成された、固体陽子導電材料を含む、実施形態１に記載のフローレドックス電池システム。
実施形態１９
電気化学セルと、陽極液タンクと、陰極液タンクと、第１の陽極液キャリアスラリーと、第２の陽極液キャリアスラリーと、第１の陰極液キャリアスラリーと、第２の陰極液キャリアスラリーと、陽極液溶液と、陰極液溶液と、発電回路を備える、フローレドックス電池システムであって、
前記電気化学セルが、陽極と陰極との間に位置付けられ、それらと電気化学的に係合されたイオン交換膜を備え、
前記発電回路が、前記陽極及び前記陰極に電気的に結合され、
前記陽極液タンクが、前記陽極に流体的に結合された陽極液上端部と、前記陽極に流体的に結合された陽極液下端部と、を備え
前記陰極液タンクが、前記陰極に流体的に結合された陰極液上端部と、前記陰極に流体的に結合された陰極液下端部と、を備え、
前記陽極液溶液が、前記第１の陽極液キャリアスラリー及び前記第２の陽極液キャリアスラリーと化学的に係合可能であり、
前記陰極液溶液が、前記第１の陰極液キャリアスラリー及び前記第２の陰極液キャリアスラリーと化学的に係合可能であり、
前記第１の陽極液キャリアスラリーが、前記第２の陽極液キャリアスラリーの密度よりも低い密度、及び前記第２の陽極液キャリアスラリーの電気陰性度とは異なる電気陰性度を含み、
前記第１の陰極液キャリアスラリーが、前記第２の陰極液キャリアスラリーの密度よりも低い密度、及び前記第２の陰極液キャリアスラリーの電気陰性度とは異なる電気陰性度を含み、
前記第１及び第２の陽極液キャリアスラリー及び前記第１及び第２の陰極液キャリアスラリーが、それぞれ、複数のスラリー粒体を含み、各スラリー粒体が、不活性コアと、前記不活性コアと化学的に係合された１つまたは２つ以上の活性粒子と、を含む、フローレドックス電池システム。
実施形態２０
電気化学セルと、陽極液タンクと、陰極液タンクと、第１の陽極液キャリアスラリーと、第２の陽極液キャリアスラリーと、第１の陰極液キャリアスラリーと、第２の陰極液キャリアスラリーと、発電回路と、を備える、フローレドックス電池システムであって、
前記電気化学セルが、陽極と陰極との間に位置付けられ、それらと電気化学的に係合されたイオン交換膜を備え、
前記発電回路が、前記陽極及び前記陰極に電気的に結合され、
前記陽極液タンクが、前記陽極に流体的に結合された陽極液上端部と、前記陽極に流体的に結合された陽極液下端部と、を備え
前記陰極液タンクが、前記陰極に流体的に結合された陰極液上端部と、前記陰極に流体的に結合された陰極液下端部と、を備え、
前記第１の陽極液キャリアスラリーが、前記第２の陽極液キャリアスラリーの密度よりも低い密度を含み、よって、前記第１及び第２の陽極液キャリアスラリーが前記陽極液タンク内に収容されたときに、前記第１の陽極液キャリアスラリーが前記第２の陽極液キャリアスラリーの上に浮かび、
前記第１の陽極液キャリアスラリーが、前記第２の陽極液キャリアスラリーの電気陰性度よりも高い電気陰性度を含み、よって、前記第１の陽極液キャリアスラリーが放電した陽極液活性材料を電気化学的に引き付け、前記第２の陽極液キャリアスラリーが充電した陽極液活性材料を電気化学的に引き付け、
前記第１の陰極液キャリアスラリーが、前記第２の陰極液キャリアスラリーの密度よりも低い密度を含み、よって、前記第１及び第２の陰極液キャリアスラリーが前記陰極液タンク内に収容されたときに、前記第１の陰極液キャリアスラリーが前記第２の陰極液キャリアスラリーの上に浮かび、
前記第１の陰極液キャリアスラリーが、前記第２の陰極液キャリアスラリーの前記電気陰性度よりも低い電気陰性度を含み、よって、前記第１の陰極液キャリアスラリーが放電した陰極液を電気化学的に引き付け、前記第２の陰極液キャリアスラリーが充電した陰極液活性材料を電気化学的に引き付ける、フローレドックス電池システム。
【手続補正２】
【補正対象書類名】特許請求の範囲
【補正対象項目名】全文
【補正方法】変更
【補正の内容】
【特許請求の範囲】
【請求項１】
電気化学セルと、陽極液タンクと、陰極液タンクと、第１の陽極液キャリアスラリーと、第２の陽極液キャリアスラリーと、第１の陰極液キャリアスラリーと、第２の陰極液キャリアスラリーと、発電回路と、を備える、フローレドックス電池システムであって、
前記電気化学セルが、陽極と陰極との間に位置付けられ、それらと電気化学的に係合されたイオン交換膜を備え、
前記発電回路が、前記陽極及び前記陰極に電気的に結合され、
前記陽極液タンクが、前記陽極に流体的に結合された陽極液上端部と、前記陽極に流体的に結合された陽極液下端部と、を備え、
前記陰極液タンクが、前記陰極に流体的に結合された陰極液上端部と、前記陰極に流体的に結合された陰極液下端部と、を備え、
前記第１の陽極液キャリアスラリーが、それぞれが第１の密度及び第１の電気陰性度を画定する、ある量の懸濁されたスラリー粒体を含み、
前記第２の陽極液キャリアスラリーが、それぞれが第２の密度及び第２の電気陰性度を画定する、ある量の懸濁されたスラリー粒体を含み、
前記第１の陽極液キャリアスラリーの前記第１の密度及び前記第１の電気陰性度が、前記第２の陽極液キャリアスラリーの前記第２の密度及び前記第２の電気陰性度とは異なり、
前記第１の陰極液キャリアスラリーが、それぞれが第１の密度及び第１の電気陰性度を画定する、ある量の懸濁されたスラリー粒体を含み、
前記第２の陰極液キャリアスラリーが、それぞれが第２の密度及び第２の電気陰性度を画定する、ある量の懸濁されたスラリー粒体を含み、
前記第１の陰極液キャリアスラリーの前記第１の密度及び前記第１の電気陰性度が、前記第２の陰極液キャリアスラリーの前記第２の密度及び前記第２の電気陰性度とは異なる、フローレドックス電池システム。
【請求項２】
前記第１及び第２の陽極液キャリアスラリーが前記陽極液タンク内に収容されたときに、前記第１の陽極液キャリアスラリーが前記第２の陽極液キャリアスラリーの上に浮かぶ、請求項１に記載のフローレドックス電池システム。
【請求項３】
前記第１の陽極液キャリアスラリーの前記電気陰性度が、前記第２の陽極液キャリアスラリーの前記電気陰性度よりも高く、よって、前記第１の陽極液キャリアスラリーが放電した陽極液活性材料を電気化学的に引き付け、前記第２の陽極液キャリアスラリーが充電した陽極液活性材料を電気化学的に引き付ける、請求項１に記載のフローレドックス電池システム。
【請求項４】
前記第１の陽極液キャリアスラリーの前記電気陰性度が、前記第２の陽極液キャリアスラリーの前記電気陰性度よりも小さく、よって、前記第１の陽極液キャリアスラリーが充電した陽極液活性材料を電気化学的に引き付け、前記第２の陽極液キャリアスラリーが放電した陽極液活性材料を電気化学的に引き付ける、請求項１に記載のフローレドックス電池システム。
【請求項５】
前記第１及び第２の陰極液キャリアスラリーが前記陰極液タンク内に収容されたときに、前記第１の陰極液キャリアスラリーが前記第２の陰極液キャリアスラリーの上に浮かぶ、請求項１に記載のフローレドックス電池システム。
【請求項６】
前記第１の陰極液キャリアスラリーの前記電気陰性度が、前記第２の陰極液キャリアスラリーの前記電気陰性度よりも高く、よって、前記第１の陰極液キャリアスラリーが充電した陰極液活性材料を電気化学的に引き付け、前記第２の陰極液キャリアスラリーが放電した陰極液を電気化学的に引き付ける、請求項１に記載のフローレドックス電池システム。
【請求項７】
前記第１の陰極液キャリアスラリーの前記電気陰性度が、前記第２の陰極液キャリアスラリーの前記電気陰性度よりも小さく、よって、前記第１の陰極液キャリアスラリーが放電した陰極液を電気化学的に引き付け、前記第２の陰極液キャリアスラリーが充電した陰極液活性材料を電気化学的に引き付ける、請求項１に記載のフローレドックス電池システム。
【請求項８】
前記第１及び第２の陽極液キャリアスラリー及び前記第１及び第２の陰極液キャリアスラリーの前記懸濁されたスラリー粒体が、それぞれ、不活性コアと、前記不活性コアに化学的に係合された１つまたは２つ以上の活性粒子と、を含む、請求項１に記載のフローレドックス電池システム。
【請求項９】
前記不活性コアが、１つまたは２つ以上の官能化表面領域を備え、前記１つまたは２つ以上の活性粒子が、前記１つまたは２つ以上の官能化表面領域において前記不活性コアと化学的に係合する、請求項８に記載のフローレドックス電池システム。
【請求項１０】
前記陽極液タンクの前記陽極液上端部と前記陽極との間に延在し、それらを流体的に結合する低密度陽極液経路と、前記陽極液タンクの前記陽極液下端部と前記陽極との間に延在し、それらを流体的に結合する高密度陽極液経路と、をさらに備える、請求項１に記載のフローレドックス電池システム。
【請求項１１】
前記陰極液タンクの陰極液上端部と前記陰極との間に延在し、それらを流体的に結合する低密度陰極液経路と、前記陰極液タンクの陰極液下端部と前記陰極との間に延在し、それらを流体的に結合する高密度陰極液経路と、をさらに備える、請求項１に記載のフローレドックス電池システム。
【請求項１２】
前記第１の陽極液キャリアスラリー及び前記第２の陽極液キャリアスラリーと化学的に係合可能であるように前記陽極液タンク内に配置された陽極液溶液をさらに含む、請求項１に記載のフローレドックス電池システム。
【請求項１３】
前記陽極液溶液の１つまたは２つ以上の活性材料が、バナジウム、クロミウム、亜鉛、硫黄、ネプツニウム、ウラン、またはこれらの組み合わせを含む、請求項１２に記載のフローレドックス電池システム。
【請求項１４】
前記陽極が、
前記第１または第２の陽極液キャリアスラリーから充電した陽極液活性材料を化学的に分離し、前記充電した陽極液活性材料を酸化し、よって、前記第１または第２の陽極液キャリアスラリーと化学的に係合された前記充電した陽極液活性材料及び前記イオン交換膜からの陽子の両方を受容すると、前記充電した陽極液活性材料が、前記発電回路によって受容可能な電子を出力し、
前記第１または第２の陽極液キャリアスラリーから放電した陽極液活性材料を化学的に分離し、前記放電した陽極液活性材料を還元し、よって、前記第１または第２の陽極液キャリアスラリーと化学的に係合された前記放電した陽極液活性材料及び前記発電回路からの電子の両方を受容すると、前記放電した陽極液活性材料が、前記イオン交換膜によって受容可能な陽子を出力するように、電気化学的に構成される、請求項１２に記載のフローレドックス電池システム。
【請求項１５】
前記第１の陰極液キャリアスラリー及び前記第２の陰極液キャリアスラリーと化学的に係合可能であるように前記陰極液タンク内に配置された陰極液溶液をさらに含む、請求項１に記載のフローレドックス電池システム。
【請求項１６】
前記陰極液溶液の１つまたは２つ以上の活性材料が、バナジウム、臭素、セリウム、塩素、フェリシアン化物、フェロシアン化物、マンガン、酸化ネプツニウム、酸化ウラン、またはこれらの組み合わせを含む、請求項１５に記載のフローレドックス電池システム。
【請求項１７】
前記陰極が、
前記第１または第２の陰極液キャリアスラリーから充電した陰極液活性材料を化学的に分離し、前記充電した陰極液活性材料を還元し、よって、前記第１または第２の陰極液キャリアスラリーと化学的に係合された前記充電した陰極液活性材料及び前記発電回路からの電子の両方を受容すると、前記充電した陰極液活性材料が、前記イオン交換膜によって受容可能な陽子を出力し、
前記第１または第２の陰極液キャリアスラリーから放電した陰極液活性材料を化学的に分離し、前記放電した陰極液活性材料を酸化し、よって、前記第１または第２の陰極液キャリアスラリーと化学的に係合された前記放電した陰極液活性材料及び前記イオン交換膜からの陽子の両方を受容すると、前記放電した陰極液活性材料が、前記発電回路によって受容可能な電子を出力するように、電気化学的に構成される、請求項１５に記載のフローレドックス電池システム。
【請求項１８】
前記イオン交換膜が、前記陽極と前記陰極との間に陽子経路を提供するように構造的に構成された、固体陽子導電材料を含む、請求項１に記載のフローレドックス電池システム。
【請求項１９】
電気化学セルと、陽極液タンクと、陰極液タンクと、第１の陽極液キャリアスラリーと、第２の陽極液キャリアスラリーと、第１の陰極液キャリアスラリーと、第２の陰極液キャリアスラリーと、陽極液溶液と、陰極液溶液と、発電回路と、を備える、フローレドックス電池システムであって、
前記電気化学セルが、陽極と陰極との間に位置付けられ、それらと電気化学的に係合されたイオン交換膜を備え、
前記発電回路が、前記陽極及び前記陰極に電気的に結合され、
前記陽極液タンクが、前記陽極に流体的に結合された陽極液上端部と、前記陽極に流体的に結合された陽極液下端部と、を備え
前記陰極液タンクが、前記陰極に流体的に結合された陰極液上端部と、前記陰極に流体的に結合された陰極液下端部と、を備え、
前記陽極液溶液が、前記第１の陽極液キャリアスラリー及び前記第２の陽極液キャリアスラリーと化学的に係合可能であり、
前記陰極液溶液が、前記第１の陰極液キャリアスラリー及び前記第２の陰極液キャリアスラリーと化学的に係合可能であり、
前記第１の陽極液キャリアスラリーが、それぞれが前記第１の陽極液キャリアスラリーの第１の密度及び第１の電気陰性度を画定するために不活性コア及び前記不活性コアに化学的に結合された１つまたは２つ以上の活性粒子を含む、ある量の懸濁されたスラリー粒体を含み、
前記第２の陽極液キャリアスラリーが、それぞれが前記第２の陽極液キャリアスラリーの第２の密度及び第２の電気陰性度を画定するために不活性コア及び前記不活性コアに化学的に係合された１つまたは２つ以上の活性粒子を含む、ある量の懸濁されたスラリー粒体を含み、
前記第１の陽極液キャリアスラリーの前記第１の密度及び前記第１の電気陰性度が、前記第２の陽極液キャリアスラリーの前記第２の密度及び前記第２の電気陰性度とは異なり、
前記第１の陽極液キャリアスラリーが、それぞれが前記第１の陽極液キャリアスラリーの第１の密度及び第１の電気陰性度を画定するために不活性コア及び前記不活性コアに化学的に係合された１つまたは２つ以上の活性粒子を含む、ある量の懸濁されたスラリー粒体を含み、
前記第２の陰極液キャリアスラリーが、それぞれが前記第２の陰極液キャリアスラリーの第２の密度及び第２の電気陰性度を画定するために不活性コア及び前記不活性コアに化学的に係合された１つまたは２つ以上の活性粒子を含む、ある量の懸濁されたスラリー粒体を含み、
前記第１の陰極液キャリアスラリーの前記第１の密度及び前記第１の電気陰性度が、前記第２の陰極液キャリアスラリーの前記第２の密度及び前記第２の電気陰性度とは異なる、フローレドックス電池システム。
【請求項２０】
電気化学セルと、陽極液タンクと、陰極液タンクと、第１の陽極液キャリアスラリーと、第２の陽極液キャリアスラリーと、第１の陰極液キャリアスラリーと、第２の陰極液キャリアスラリーと、発電回路と、を備える、フローレドックス電池システムであって、
前記電気化学セルが、陽極と陰極との間に位置付けられ、それらと電気化学的に係合されたイオン交換膜を備え、
前記発電回路が、前記陽極及び前記陰極に電気的に結合され、
前記陽極液タンクが、前記陽極に流体的に結合された陽極液上端部と、前記陽極に流体的に結合された陽極液下端部と、を備え
前記陰極液タンクが、前記陰極に流体的に結合された陰極液上端部と、前記陰極に流体的に結合された陰極液下端部と、を備え、
前記第１の陽極液キャリアスラリーが、前記第２の陽極液キャリアスラリーの第２の密度よりも低い第１の密度を含み、
前記第１及び第２の陽極液キャリアスラリーが前記陽極液タンク内に収容されたときに、前記第１の陽極液キャリアスラリーが前記第２の陽極液キャリアスラリーの上に浮かび、
前記第１の陽極液キャリアスラリーが、前記第２の陽極液キャリアスラリーの第２の電気陰性度とは異なる第１の電気陰性度を含み、
前記第１及び第２の陽極液キャリアスラリーのより多い電気陰性物質が、放電した陽極液活性材料を電気化学的に引き付け、
前記第１及び第２の陽極液キャリアスラリーのより少ない電気陰性物質が、充電した陽極液活性材料を電気化学的に引き付け、
前記第１の陰極液キャリアスラリーが、前記第２の陰極液キャリアスラリーの第２の密度よりも低い第１の密度を含み、
前記第１及び第２の陰極液キャリアスラリーが前記陰極液タンク内に収容されたときに、前記第１の陰極液キャリアスラリーが前記第２の陰極液キャリアスラリーの上に浮かび、
前記第１の陰極液キャリアスラリーが、前記第２の陰極液キャリアスラリーの第２の電気陰性度とは異なる第１の電気陰性度を含み、
前記第１及び第２の陰極液キャリアスラリーのより多い電気陰性物質が、放電した陰極液活性材料を電気化学的に引き付け、
前記第１及び第２の陰極液キャリアスラリーのより少ない電気陰性物質が、充電した陰極液活性材料を電気化学的に引き付ける、フローレドックス電池システム。
【請求項２１】
フローレドックス電池システムであって、
電気化学セルと、
発電回路と、
陽極液タンクであって、前記電気化学セルに流体的に結合され、陽極液溶液、第１の陽極液キャリアスラリー、及び第２の陽極液キャリアスラリーを含有し、よって、前記第１及び第２の陽極液キャリアスラリーが、第１及び第２の陽極液キャリアスラリーのそれぞれに含有される懸濁された陽極液スラリー粒体の密度の違いによって、互いに少なくとも部分的に不混和性であり、前記陽極液溶液内に含有される活性材料レドックス対内の放電または充電した陽極液活性材料のうちの一方を前記第１及び第２の陽極液キャリアスラリーのうちの一方に係合させ、一方で、前記放電または充電した陽極液活性材料のうちのもう一方を前記第１及び第２の陽極液キャリアスラリーのうちのもう一方に係合させるために、前記懸濁された陽極液スラリー粒体が、前記第１の陽極液キャリアスラリーと前記第２の陽極液キャリアスラリーとの間の電気陰性度に違いを与える、陽極液タンクと、
陰極液タンクであって、前記電気化学セルに流体的に結合され、陰極液溶液、第１の陰極液キャリアスラリー、及び第２の陰極液キャリアスラリーを含有し、よって、前記第１及び第２の陰極液キャリアスラリーが、第１及び第２の陰極液キャリアスラリーのそれぞれに含有される懸濁された陰極液スラリー粒体の密度の違いによって、互いに少なくとも部分的に不混和性であり、前記陰極液溶液内に含有される活性材料レドックス対内の放電または充電した陰極液活性材料のうちの一方を前記第１及び第２の陰極液キャリアスラリーのうちの一方に係合させ、一方で、前記放電または充電した陰極液活性材料のうちのもう一方を前記第１及び第２の陰極液キャリアスラリーのうちのもう一方に係合させるために、前記懸濁された陰極液スラリー粒体が、前記第１の陰極液キャリアスラリーと前記第２の陰極液キャリアスラリーとの間の電気陰性度に違いを与える、陰極液タンクと、
を備える、フローレドックス電池システム。